(57)【特許請求の範囲】
【請求項１】
再生時に課金される再生時課金番組および蓄積時に課金される再生非課金番組のデータをインターネットを介して受信および蓄積し、当該蓄積された番組の再生にあたり再生番組表を表示する蓄積再生装置におけるデジタル放送番組表の表示方法であって、
デジタル映像データ又は音声データの少なくともいずれかにより構成される前記番組のデータを、前記番組の課金情報を含む前記番組の属性情報とともに、インターネットを介して受信して、前記番組のデータと前記番組の属性情報とを互いに対応付けて蓄積器に蓄積する第１の工程と、
前記第１の工程において蓄積された番組のデータと対応する前記番組の課金情報に基づいて、番組蓄積後の再生時に課金される再生課金番組と番組蓄積後の再生時に課金されない再生非課金番組とに所定の方法で区別して、前記第１の工程において蓄積された番組のデータと対応する前記番組の属性情報が含まれた再生番組表であって、番組蓄積後の再生時に課金される再生課金番組と番組蓄積後の再生時に課金されない再生非課金番組とを区別して表示する再生番組表を作成し表示装置に表示する第２の工程と、
を備え、
前記インターネットを介して受信されたデータは、当該蓄積する番組のデータとともに当該蓄積する番組の課金情報を含む当該蓄積する番組の属性情報が付属するものであって、前記付属する番組の属性情報は前記番組のタイトル及びジャンルを含むメタデータであり、前記蓄積器は取り外し可能なメモリーカードであることを特徴とするデジタル放送番組表の表示方法。
【発明の詳細な説明】
【技術分野】
【０００１】
本発明は、デジタル放送信号を受信して、番組を録画・再生する装置、特にサーバ型デジタル放送受信装置において、蓄積装置に録画され、ユーザがＧＵＩを操作して再生を行う際に、再生時に課金される番組をユーザが誤って再生して課金されることを防止するデジタル放送番組表の表示方法及びそれを用いたデジタル放送録画・再生装置に関するものである。
【背景技術】
【０００２】
近年、テレビジョン放送信号をデジタル化して伝送するデジタル放送やインターネットを介して番組を配信するブロードバンド放送が広く普及しつつある。これらの技術では、多くのチャンネル送信が可能となりユーザにとっては、膨大な番組視聴の機会が提供されている。
【０００３】
さらに、サーバ型放送の規格が決まり、ユーザの嗜好に合せた番組の提供や、受信装置において受信データを蓄積するメモリの大容量化が進み、ユーザは有料・無料に関わらず嗜好にあった番組を自動で録画・再生して楽しむことができる。本放送は２００６年頃にサービスが開始される予定である。
【０００４】
しかし、録画された有料番組には録画時に課金される録画課金番組と再生時に課金される再生課金番組がある。録画課金番組は録画時にユーザの意思で課金を許容して録画され、既に課金済みであるため問題は無いが、再生課金番組は再生時に再生番組表中で非課金番組と区別されなければユーザが視聴したくない番組を誤って選択して意図しない課金が発生するという問題があった。
【０００５】
再生課金番組の再生時の課金システムとしては、ＢＳデジタルや地上デジタル放送にて第二音声が有料である場合に、第二音声を視聴するアクションを起こした時に、「この音声は有料です。」等のメッセージが表示されるものがあった。更に、録画した再生課金番組を再生するために、所定のキー（許可コード）の送信を要求する命令をデジタル放送局に送信し、放送局では支払を確認後、そのキーを受信装置に送信して再生可能とするものがあった。（例えば、特許文献１参照）。
【先行技術文献】
【特許文献】
【０００６】
【特許文献１】特開２００１−１８６４５３号公報（第６図）
【発明の概要】
【発明が解決しようとする課題】
【０００７】
しかしながら、視聴するときに音声の案内がある場合では、その番組だけの情報であり、他の番組の情報は不明である。また、許可コードを受信して再生する方法では、再生課金番組を誤って選択して課金されてしまうという課題があった。
【０００８】
この発明は、上述のような課題を解決するためになされたもので、再生番組表を再生時に課金される再生課金番組と課金されない再生非課金番組とに明確に区別して表示し、ユーザが視聴したくない再生課金番組を誤って選択して意図しない課金が発生する、という問題の生じないデジタル放送番組表の表示方法及びそれを用いたデジタル放送録画・再生装置を提供することを目的とする。
【課題を解決するための手段】
【０００９】
この発明に係るデジタル番組表の表示方法は、デジタル映像データ又は音声データの少なくともいずれかにより構成される番組のデータを、前記番組の課金情報を含む前記番組の属性情報とともに、インターネットを介して受信して、前記番組のデータと前記番組の属性情報とを互いに対応付けて蓄積器に蓄積する第１の工程と、前記第１の工程において蓄積された番組のデータと対応する前記番組の課金情報に基づいて、再生時に課金される再生課金番組と課金されない再生非課金番組とに区別して、前記第１の工程において蓄積された番組のデータと対応する前記番組の属性情報が所定の順でソートされた再生番組表を作成し表示装置に表示する第２の工程と、を備えたものである。
【００１０】
また、この発明に係るデジタル放送番組表の表示方法は、再生時に課金される再生時課金番組および蓄積時に課金される再生非課金番組のデータをインターネットを介して受信および蓄積し、当該蓄積された番組の再生にあたり再生番組表を表示する蓄積再生装置におけるデジタル放送番組表の表示方法であって、デジタル映像データ又は音声データの少なくともいずれかにより構成される番組のデータを、番組の課金情報を含む番組の属性情報とともに、インターネットを介して受信して、番組のデータと番組の属性情報とを互いに対応付けて蓄積器に蓄積する第１の工程と、第１の工程において蓄積された番組のデータと対応する番組の課金情報に基づいて、番組蓄積後の再生時に課金される再生課金番組と番組蓄積後の再生時に課金されない再生非課金番組とに所定の方法で区別して、第１の工程において蓄積された番組のデータと対応する番組の属性情報が含まれた再生番組表であって、番組蓄積後の再生時に課金される再生課金番組と番組蓄積後の再生時に課金されない再生非課金番組とを区別して表示する再生番組表を作成し表示装置に表示する第２の工程と、を備え、インターネットを介して受信されたデータは、当該蓄積する番組のデータとともに当該蓄積する番組の課金情報を含む蓄積する番組の属性情報が付属するものであって、付属する番組の属性情報は番組のタイトル及びジャンルを含むメタデータであり、蓄積器は取り外し可能なメモリーカードであることを特徴とするものである。
【発明の効果】
【００１１】
この発明に係るデジタル放送番組表の表示方法は、再生時に課金される再生時課金番組および蓄積時に課金される再生非課金番組のデータをインターネットを介して受信および蓄積し、当該蓄積された番組の再生にあたり再生番組表を表示する蓄積再生装置におけるデジタル放送番組表の表示方法であって、デジタル映像データ又は音声データの少なくともいずれかにより構成される番組のデータを、番組の課金情報を含む番組の属性情報とともに、インターネットを介して受信して、番組のデータと番組の属性情報とを互いに対応付けて蓄積器に蓄積する第１の工程と、第１の工程において蓄積された番組のデータと対応する番組の課金情報に基づいて、番組蓄積後の再生時に課金される再生課金番組と番組蓄積後の再生時に課金されない再生非課金番組とに所定の方法で区別して、第１の工程において蓄積された番組のデータと対応する番組の属性情報が含まれた再生番組表であって、番組蓄積後の再生時に課金される再生課金番組と番組蓄積後の再生時に課金されない再生非課金番組とを区別して表示する再生番組表を作成し表示装置に表示する第２の工程と、を備え、インターネットを介して受信されたデータは、当該蓄積する番組のデータとともに当該蓄積する番組の課金情報を含む蓄積する番組の属性情報が付属するものであって、付属する番組の属性情報は番組のタイトル及びジャンルを含むメタデータであり、蓄積器は取り外し可能なメモリーカードであることを特徴とするものであるので、再生時に課金される再生課金番組と課金されない再生非課金番組とに区別して表示し、ユーザが視聴したくない再生課金番組を誤って選択して意図しない課金が発生するという問題点が生じないため、安心して録画した番組を再生することができる。
【図面の簡単な説明】
【００１２】
【図１】本発明の実施の形態１におけるデジタル放送録画・再生装置の概略構成を示すブロック図である。
【図２】本発明の実施の形態１における再生番組表を示す図である。
【図３】本発明の実施の形態１における再生番組表の他の例を示す図である。
【図４】本発明の実施の形態１における再生番組表の他の例を示す図である。
【図５】本発明の実施の形態１における再生番組表の他の例を示す図である。
【図６】本発明の実施の形態１における再生番組表の他の例を示す図である。
【図７】本発明の実施の形態１における再生番組表の他の例を示す図である。
【図８】本発明の実施の形態２におけるデジタル放送録画・再生装置の概略構成を示すブロック図である。
【発明を実施するための形態】
【００１３】
実施の形態１．
図１は、本発明の実施の形態１におけるデジタル放送録画・再生装置１の構成を示すブロック図であり、図２は課金番組表と非課金番組表とを別々に区別して表示した画面イメージ例である。
【００１４】
図１において、アンテナ２が受信したデジタル放送信号よりチューナ３にて所望の周波数の受信信号を選択し、更にデジタル復調する。復調されたデジタル放送信号は映像データ、音声データ等が含まれているため、多重分離器４において映像データ、音声データ等に分離される。
【００１５】
一般に伝送効率、蓄積効率を上げるため、映像データ、音声データは例えばＭＰＥＧ等の圧縮された信号形式になっている。そのため、映像データは多重分離器４で分離された後、ＭＰＥＧ映像復号器５により復号され、映像切換器６を通過して映像表示手段であるテレビ受像器７に表示される。一方、音声データも多重分離器４で分離された後、ＭＰＥＧ音声復号器８により復号され、音声切換器９を通って音声出力手段であるスピーカ１０から出力される。
【００１６】
キー受信部１４は、ユーザが操作するリモコン（図示しない）からの信号、例えば録画、再生、予約、電源入り切り等の信号を受信し、システムの制御を行うシステムＣＰＵ１２にその情報を送出する。蓄積器であるＨＤＤ（ハードディスクドライブ）１１に蓄積される番組は、蓄積効率向上のため圧縮された信号形式（この実施の形態の場合は、ＭＰＥＧ方式）のデータのまま格納される。ＨＤＤ１１に蓄積された録画済番組の番組表は再生番組表作成器１３において作成される。この番組表と番組の映像、音声はそれぞれ映像切換器６と音声切換器９により切り換えられてテレビ受像器７に表示及びスピーカ１０から出力される。
【００１７】
次に図１、図２に基づいて動作について説明する。
まず、図１において、通常視聴時の信号の流れについて説明する。アンテナ２で受信した信号はチューナ３にてデジタル復調され、映像、音声、データ放送、チャンネル情報、番組情報などの各種のデータが多重された形式の信号ＴＳ（トランスポートストリーム）に変換され多重分離器４に入力される。
【００１８】
多重分離器４では映像、音声などのデータ毎に分離されて、各々ＭＰＥＧ映像復号器５とＭＰＥＧ音声復号器８に送られる。その他の情報は情報ごとに仕分けされてシステムＣＰＵ１２で解読されシステムＣＰＵ１２又はシステムＣＰＵ１２に付属する記憶領域に保存される。
多重分離器４で分離された映像データはＭＰＥＧ映像復号器５にて復号されてＴＶ映像信号に変換される。その後、映像切換器６を通過して出力され、映像表示装置であるテレビ受像器７で画面表示される。
【００１９】
一方、多重分離器４で分離された音声データはＭＰＥＧ音声復号器８にて復号されて音声信号に変換される。その後、音声切換器９を通過して出力され、音声出力装置であるスピーカ１０に出力される。
ユーザのリモコン操作でキー受信部１４が受信した指示をシステムＣＰＵ１２が解読して、チャンネル切換などの制御を行うがその際に、データ放送、チャンネル情報、番組情報などの各種のデータを元に、データ放送の提示、チャンネル切換、放送番組予定表及び番組予約視聴などを制御する。
このようにして、デジタル放送を視聴したり、データ放送を楽しんだりできる。
【００２０】
次に放送番組を録画して再生する場合の動作について説明する。
多重分離器４で録画する番組のＴＳのみを切り出し、ＨＤＤ１１にて録画される。
録画される番組データと共にその番組の属性情報（メタデータ）が付属しており、これらのデータも同時にＨＤＤ１１に記録することができる。この属性情報には、再生時に課金される番組か課金されない番組であるかといった情報も含まれている。
【００２１】
再生時には、システムＣＰＵ１２はＨＤＤ１１から録画された番組の属性情報を取り出し、番組表が再生番組表作成器１３で作成される。
再生番組表作成器１３で作成された番組表は映像切換器６に入力され、通常の映像信号と切換えて出力される。又は映像信号と合成して表示することで、映像を見ながら同時に番組表で別の番組を検索することもできる。
【００２２】
再生番組表作成器１３では、システムＣＰＵ１２がＨＤＤ１１から取り出した番組のタイトル、録画時間、ジャンルなどの情報を元に録画時刻の古い順或いは新しい順や録画時間の短い順或いは長い順などでソートして表示する。尚、表示アイテムとして録画時間の例を記したが、再生期限日時を表示しても良い。
【００２３】
このようにして作成した番組表を、録画された番組が再生時に課金されるか課金されないかの属性情報によって振り分け、１つの画面内に２つの番組表に分けて表示する。一方は再生非課金番組表であり、他方は再生課金番組表となる。
図２はこのようにして作成された番組表の例であり、再生非課金番組（タイトル１〜９）と再生課金番組（タイトル１１〜１９）を再生非課金番組表と再生課金番組表の別々に区別して表示した例である。
【００２４】
この実施の形態１によれば、再生非課金番組表と再生課金番組表を別々の枠で区別して表示するため、ユーザが誤って再生課金番組を選択して再生してしまうことを防止することができる。
【００２５】
また、再生非課金番組表と再生課金番組表を区別して表示する別の例として図３に再生課金番組の表示を再生非課金番組と色分けして赤色の素地により表示する方法を示す。この方法の場合、再生非課金番組との比較、例えば録画した時刻、録画時間、ジャンル等を容易に確認することができると共に、色分けされているため誤って再生課金番組を選択して再生してしまうことを防止することができる。色分けは赤色以外の色であってもよい。
【００２６】
更に、別の例として図４に再生課金番組の表示をフラッシュ（点滅）して表示する方法を示す。この方法の場合、再生非課金番組との比較、例えば録画した時刻、録画時間、ジャンル等を容易に確認することができると共に、フラッシュしているため誤って再生課金番組を選択して再生してしまうことを防止することができる。
【００２７】
更にまた、図５に再生課金番組の表示に有料を示すアイコン５１を付して表示する方法を示す。この方法の場合、再生非課金番組との比較、例えば録画した時刻、録画時間、ジャンル等を容易に確認することができると共に、有料示すアイコン５１があるため誤って再生課金番組を選択して再生してしまうことを防止することができる。
【００２８】
更にまた、図６、図７に再生課金番組の番組表を表示するためのボタンを備える方法を示す。この方法の場合、番組表は図６の再生非課金番組だけを先ず表示し、ユーザが図６に示す再生課金番組表への入口ボタン６１を押下して初めて再生課金番組表（図７）が表示されるため、ユーザが誤って再生課金番組を選択して再生してしまうことを確実に防止することができる。
【００２９】
更にまた、ユーザがカーソルで選択した時にシステムＣＰＵ１２が予め内蔵している音声又は効果音を出し音声切換器９に出力し、音声切換器９では、ＭＰＥＧ音声復号器８からの音声に代えて音声又は効果音を出力してユーザの注意を喚起する方法もある。この方法の場合、ユーザに耳から情報が入るため誤って再生課金番組を選択して再生してしまうことを防止することができる。
【００３０】
更にまた、再生課金番組の表示のフォントを再生非課金番組と異なったフォントを用いる方法もある。この方法の場合、再生非課金番組との比較、例えば録画した時刻、録画時間、ジャンル等を容易に確認することができると共に、再生非課金番組とフォントが異なるため誤って再生課金番組を選択して再生してしまうことを防止することができる。
【００３１】
以上説明した再生課金番組の区別の各方法を組み合わせて適用することも考えられ、その場合は再生課金番組を誤って選択することを更に防止することができる。
【００３２】
また、再生課金番組を全く除いて番組表を作成、表示することも考えられる。この方法の場合、再生課金番組が表示されていないため誤って再生課金番組を選択して再生することを完全に防止できる。この場合、再生課金番組を蓄積もしないことが考えられ、そうすることにより再生非課金番組の蓄積量を増やすことができる。
【００３３】
更に、ジャンル別に番組表を作成した上で、上記区別を行うことも考えられる。この方法の場合、ユーザの嗜好にあった番組を早く探すことができる。
【００３４】
更にまた、再生課金番組の金額により区別する方法を異ならせる、例えば高額な番組は赤、低額な番組は青という色分けを行う又は金額そのものを表示する、という方法もある。この方法の場合、ユーザの再生を選択を行うか否かの判断を容易にすることができる。
【００３５】
実施の形態２．
図８は本発明の実施の形態２におけるデジタル放送録画・再生装置１の構成を示すブロック図である。
この実施の形態２は、インターネットのブロードバンド放送を受信するデジタル放送録画・再生装置を示すものであり、映像データ等は、インターネット７１からモデム７２を介して入力され、他の構成は実施の形態１と同様である。
【００３６】
動作についても、データがインターネット７１から入力されることだけが異なるので詳細の説明は省略する。
この実施の形態２においては、インターネット７１からのみデータを入力している例を示したが、アンテナからデジタル放送信号を受信する機能も同時に備えていても勿論かまわない。
【００３７】
尚、上記の各実施の形態において、蓄積器であるＨＤＤ（ハードディスクドライブ）１１は、ＤＶＤ（Ｄｉｇｉｔａｌ  Ｖｉｄｅｏ  Ｄｉｓｃ）やメモリカードであってもよく、更に蓄積器はデジタル放送録画・再生装置とは別置きであってもよい。
また、対象となるデータは映画のように映像データと音声データ両方、写真のように映像データだけ、音楽のように音声データだけであってもよいことは言うまでもない。
【符号の説明】
【００３８】
１  デジタル放送録画・再生装置、２  アンテナ、３  チューナ、４  多重分離器、５  ＭＰＥＧ映像復号器、６  映像切換器、７  テレビ受像器、８  ＭＰＥＧ音声復号器、９  音声切換器、１０  スピーカ、１１  ＨＤＤ、１２  システムＣＰＵ、１３  再生番組表作成器、１４  キー受信部、２１  再生非課金番組表、２２  再生課金番組表、５１  有料アイコン、６１  入口ボタン、７１  インターネット、７２  モデム。
【図１】
0005482936.tif 000002
【図２】
0005482936.tif 000003
【図３】
0005482936.tif 000004
【図４】
0005482936.tif 000005
【図５】
0005482936.tif 000006
【図６】
0005482936.tif 000007
【図７】
0005482936.tif 000008
【図８】
0005482936.tif 000009